(57)【要約】  サイクロン内での旋回速度の低下を抑え、液体と空気を効率よく分離できる気液分離装置及びその気液分離装置を適用した空気清浄器を提供することを目的とする。  入口部４１に連通する導入流路４０ｂ、導入流路４０ｂの下方外部へ延設される排出部４４、及び導入流路４０ｂの上方外部に延設される出口部４３、を備えるケーシング４２内に少なくとも液体を含む空気Ａ２を導入し、ケーシング４２を構成する外方壁４２ａに沿って空気Ａ２を旋回させることにより液体３２ｅと処理済空気Ａ３に分離して、液体３２ｅを排出部４４から排出し、処理済空気Ａ３を出口部４３から導出する気液分離装置４０であって、ケーシング４２の入口部４１の高さ位置において、下流側の外方壁４２ａ内面の曲率半径は、上流側の外方壁内面４２ａの曲率半径より小さい。
2017179159.tif 000002
【特許請求の範囲】
【請求項１】
入口部に連通する導入流路、前記導入流路の下方外部へ延設される排出部、及び前記導入流路の上方外部に延設される出口部、を備えるケーシング内に少なくとも液体を含む空気を導入し、前記ケーシングを構成する外方壁に沿って前記空気を旋回させることにより前記液体と処理済空気に分離して、前記液体を前記排出部から排出し、前記処理済空気を前記出口部から導出する気液分離装置であって、
前記ケーシングの入口部の高さ位置において、下流側の前記外方壁内面の曲率半径は、上流側の前記外方壁内面の曲率半径より小さいことを特徴とする気液分離装置。
【請求項２】
前記ケーシングは、前記外方壁の内側に内方壁をさらに有し、前記導入流路は、前記外方壁と前記内方壁との間の流路幅が下流に向かって漸次狭くなることを特徴とする請求項１に記載の気液分離装置。
【請求項３】
前記出口部は、その下端部に下部開口部を有し、該下部開口部は前記導入流路より下方に配設されることを特徴とする請求項１または２に記載の気液分離装置。
【請求項４】
請求項１ないし３のいずれかに記載の気液分離装置と、非処理空気を取込むファンと、前記非処理空気を前記液体によって洗浄する洗浄装置と、を備える空気清浄器において、前記洗浄装置または前記ファンのいずれかが前記気液分離装置の前記入口部に接続されていることを特徴とする空気清浄器。
【発明の詳細な説明】
【技術分野】
【０００１】
本発明は、室内等の空間の気液分離を行う気液分離装置及びその気液分離装置を適用した空気清浄器に関する。
【背景技術】
【０００２】
従来、執務室やアミューズメント施設、或いは工場等の空間内の汚れた空気を空気清浄器を用いて処理することが試みられている。その一例として、例えば、取込口から取入れた非処理の空気を、噴霧冷却器（洗浄装置）内において水や洗浄液等の液体に接触させ、当該非処理の空気内に含まれるタバコの煙やダスト、或いは汚染物質等を捕捉して除塵した後、前記液体の微粒子を伴い過度に加湿された状態の非処理の空気をサイクロン（気液分離装置）の入口を介して内部へ導かれる。サイクロン内周面は円錐状に形成され、該円錐状の内周面に沿って水分を多く含む空気旋回しながら下降する過程で、サイクロンの遠心力により非処理の空気中に含まれる液体は分離して気液分離処理した後、サイクロンの中心軸付近で発生する上昇気流によって処理済みの空気をサイクロンの出口から送り出す空気清浄器が開発されている。この非処理の空気中から分離された液体は、サイクロンの底部から延びるドレンを介してサイクロン外部へ排出するようになっている（例えば、特許文献１及び２参照）。
【先行技術文献】
【特許文献】
【０００３】
【特許文献１】特開昭５７−１９７０１８号公報（第２頁、第１図）
【特許文献２】特開２０１４−１２８７４５号公報（第６頁、図４〜図６）
【発明の概要】
【発明が解決しようとする課題】
【０００４】
しかしながら、特許文献１及び２の空気清浄器に適用された気液分離装置にあっては、非処理の空気は、サイクロンの円錐状壁面に沿って長い距離を旋回しながら下降するため、サイクロンの円錐状壁面近傍の流速は、下部になるほど減速してしまい水分と空気を効率よく分離できない虞があった。【０００５】
本発明は、このような問題点に着目してなされたもので、サイクロン内での旋回速度の低下を抑え、液体と空気を効率よく分離できる気液分離装置及びその気液分離装置を適用した空気清浄器を提供することを目的とする。
【課題を解決するための手段】
【０００６】
前記課題を解決するために、本発明の気液分離装置は、
入口部に連通する導入流路、前記導入流路の下方外部へ延設される排出部、及び前記導入流路の上方外部に延設される出口部、を備えるケーシング内に少なくとも液体を含む空気を導入し、前記ケーシングを構成する外方壁に沿って前記空気を旋回させることにより前記液体と処理済空気に分離して、前記液体を前記排出部から排出し、前記処理済空気を前記出口部から導出する気液分離装置であって、
前記ケーシングの入口部の高さ位置において、下流側の前記外方壁内面の曲率半径は、上流側の前記外方壁内面の曲率半径より小さいことを特徴としている。
この特徴によれば、ケーシングの入口部の高さ位置において、液体を含む空気は、上流側より下流側で曲率半径が小さくなる外方壁を高々略１周するのみで旋回速度が増すことができるので、短い距離で効率よく旋回速度を増加させることができる。【０００７】
本発明の気液分離装置は、
前記ケーシングは、前記外方壁の内側に内方壁をさらに有し、前記導入流路は、前記外方壁と前記内方壁との間の流路幅が下流に向かって漸次狭くなることを特徴としている。
この特徴によれば、外方壁と内方壁との間の流路幅が下流に向かって漸次狭くなる導入流路によって、効率よく加速させることができ、延いては液体と空気を効率よく分離できる。【０００８】
本発明の気液分離装置は、
前記出口部は、その下端部に下部開口部を有し、該下部開口部は前記導入流路より下方に配設されることを特徴としている。
この特徴によれば、導入流路と出口部は分離されるので、導入流路を流れる水分を含む空気と、出口部を流れる処理済空気は、衝突することなく、効率良く流れることができる。【０００９】
本発明の空気清浄器は、
前記気液分離装置と、非処理空気を取込むファンと、前記非処理空気を前記液体によって洗浄する洗浄装置と、を備える空気清浄器において、前記洗浄装置または前記ファンのいずれかが前記気液分離装置の前記入口部に接続されていることを特徴としている。
この特徴によれば、連続して液体と空気に分離しながら、処理済空気を連続して供給することができる。
【図面の簡単な説明】
【００１０】
【図１】実施例における空気清浄器を示す斜視図である。
【図２】（ａ）空気清浄器のケースの正面パネルを撤去した状態の構造図、（ｂ）空気清浄器のケースの右側面パネルを撤去した状態の構造図、（ｃ）空気清浄器のケースの背面パネルを撤去した状態を示す図である。
【図３】空気清浄器を構成する各構成要素の接続を示す図である。
【図４】気液分離装置の斜視図である。
【図５】（ａ）は、（ｂ）の気液分離装置のＡ−Ａ断面図、（ｂ）は、（ａ）のＢ−Ｂ断面図である。
【発明を実施するための形態】
【００１１】
本発明に係る気液分離装置及びそれを適用した空気清浄器を実施するための形態を実施例に基づいて以下に説明する。
【実施例】
【００１２】
実施例に係る気液分離装置及びその気液分離装置を適用した空気清浄器につき、図１から図５を参照して説明する。本発明の空気清浄器１０は、例えば、執務室やアミューズメント施設、或いは工場等の室内５０（以下、単に室内５０という）においてタバコの煙やダスト、或いは汚染物質等を含む汚れた非処理空気Ａ１を洗浄液（本発明の液体）にて洗浄するために、室内５０の非処理空気Ａ１を取込んで洗浄し、洗浄済空気Ａ２を気液分離して、処理済空気Ａ３として室内５０に再度送り出す循環式の空気清浄器１０である。【００１３】
図１から図３に示されるように、空気清浄器１０は、室内５０の汚れた非処理空気Ａ１を取込む取込口２１ａ、２１ｂを備えた中空のケース２０と、取込口２１ａ、２１ｂから取入れた非処理空気Ａ１中に含まれる煙やダスト、或いは汚染物質等を洗浄液３２ｅによって洗浄する洗浄装置３０と、洗浄装置３０を通過した洗浄済空気Ａ２から洗浄液３２ｅと処理済空気Ａ３に分離する気液分離装置４０と、から主に構成される。気液分離後の処理済空気Ａ３はケース２０の排気口２２から室内５０に再度排出される。以下、ケース２０、洗浄装置３０、気液分離装置４０について説明する。【００１４】
空気清浄器１０のケース２０は、縦長の直方体の中空のケースとして構成される。空気清浄ユニットとして構成され空気清浄器１０は、複数のキャスター２０ａによって所望の場所に容易に移動でき、複数のストッパ２０ｂにより固定できるようになっている。【００１５】
図１に示されるように、空気清浄器１０のケース２０の側面は、着脱可能な平板状のパネル２３ａ、２３ｂ、２３ｃ、２３ｄにより覆われている。図２に示されるように、空気清浄器１０のケース２０からパネル２３ａ、２３ｂ、２３ｃ、２３ｄを撤去することにより、空気清浄器１０の内部を容易に点検できる。図２（ａ）は、パネル２３ａを撤去した状態を示す図で、洗浄装置３０の正面部、ファン２１ｆ、該洗浄装置３０とファン２１ｆの吸込口とを接続するダクト２１ｈ、補給部３２を主に点検できる。また、図２（ｂ）は、パネル２３ｂを撤去した状態を示す図で、取込口２１ａに接続されるダクト２１ｃ、ファン２１ｆの吐出口と気液分離装置４０とを接続するダクト２１ｈ、洗浄装置３０の側面部を主に点検できる。同様に、図２（ｃ）は、パネル２３ｃを撤去した状態を示す図で、取込口２１ａ、２１ｂにそれぞれ接続されるダクト２１ｃ、２１ｄ、ダクト２１ｃと２１ｄとの合流部２１ｅ、ファン２１ｆ、ファン駆動用モータ２１ｍ、ファン２１ｆの吐出口と気液分離装置４０とを接続するダクト２１ｈ、洗浄装置３０の背面部、及び気液分離装置４０を主に点検できる。【００１６】
つぎに、洗浄装置３０について説明する。図２及び３に示されるように、取込口２１ａ、２１ｂから取入れられた非処理空気Ａ１は、それぞれダクト２１ｃ、２１ｄを通り、合流部２１ｅにて合流後、ダクト２１ｇを通って洗浄装置３０へ導かれる。洗浄装置３０は、非処理空気Ａ１を洗浄液３２ｅ（本発明の液体）によって洗浄する洗浄ケーシング部３４、洗浄ケーシング部３４内に洗浄液３２ｅを循環する洗浄液循環部３１、洗浄ケーシング部３４内の洗浄液３２ｅを浄化するための浄化部３３、及び洗浄にともない減少する洗浄液３２ｅ中の薬剤を洗浄ケーシング部３４に補給する補給部３２、とから主に構成される。【００１７】
洗浄ケーシング部３４は、内部に洗浄液３２ｅを貯蔵可能な中空部を有する略直方体の箱体からなる。図２（ａ）に示されるように、洗浄ケーシング部３４の上部正面部３４ａ、下部正面部３４ｂは略同一幅に形成され、また、図２（ｂ）に示されるように、洗浄ケーシング部３４の洗浄装置下部３４ｄは、洗浄装置上部３４ｃよりも前後幅が幅広に形成される。洗浄ケーシング部３４の洗浄装置下部３４ｄは、洗浄液３２ｅの貯蔵部となっており、長時間連続して非処理空気Ａ１を洗浄可能とする所定量の洗浄液３２ｅが貯蔵される。洗浄ケーシング部３４の洗浄装置上部３４ｃは、洗浄液３２ｅによって非処理空気Ａ１を洗浄する領域となっている。【００１８】
少なくとも洗浄ケーシング部３４の上部正面部３４ａ、下部正面部３４ｂは、内部を透視可能なように透明板から構成され、非処理空気Ａ１の洗浄状況を観察できるようになっている。【００１９】
洗浄ケーシング部３４内に洗浄液３２ｅを循環する洗浄液循環部３１について説明する。図２（ａ）及び図３に示されるように、洗浄液循環部３１は、洗浄液３２ｅを循環する循環ポンプ３１ｂ、洗浄装置上部３４ｃ内に配設され洗浄液３２ｅを霧状に噴霧するスプレー部３１ｄ、洗浄装置下部３４ｄと循環ポンプ３１ｂの吸込口とを接続する吸込循環パイプ３１ａ、循環ポンプ３１ｂの吐出口とスプレー部３１ｄとを接続する吐出循環パイプ３１ｃを主に備える。【００２０】
また、洗浄液循環部３１内を循環する洗浄液３２ｅは、薬剤を含む水からなる。なお、薬剤として、塩素、次亜塩素酸等の消毒液からなる。また香りを付加する香料等を付加してもよい。【００２１】
このような構成を有する洗浄液循環部３１によって、洗浄装置下部３４ｄに貯えられた洗浄液３２ｅは、循環ポンプ３１ｂによって洗浄装置上部３４ｃ内に配設された複数のスプレー部３１ｄに圧送され、洗浄装置上部３４ｃ内に霧状に噴霧された洗浄液３２ｅの微粒子が洗浄装置上部３４ｃから洗浄装置下部３４ｄへ流れ落ちるとともに、洗浄装置上部３４ｃ内には洗浄液３２ｅの微粒子が充満する。洗浄液３２ｅは、霧状の微粒子となることによって表面積が増すので、洗浄装置上部３４ｃ内に送り込まれた非処理空気Ａ１内に含まれる微細なダストやタバコのヤニ等の異物、ウィルス等は、洗浄液３２ｅの微粒子によって容易に捕捉され、洗浄液３２ｅとともに洗浄装置下部３４ｄに流れ落ちる。また、ウィルス等は消毒剤を含んだ洗浄液によって殺菌される。【００２２】
つぎに、洗浄ケーシング部３４内の洗浄液３２ｅを浄化するための浄化部３３について説明する。図２（ａ）及び図３に示されるように、浄化部３３は、洗浄ケーシング部３４内に配設された水中ポンプ３３ｃ、洗浄ケーシング部３４の外部に配設されたフィルタ部３３ａ、水中ポンプ３３ｃとフィルタ部３３ａとを接続する浄化系パイプ３３ｄ、３３ｇ、フィルタ部３３ａと洗浄ケーシング部３４を接続する浄化系パイプ３３ｂを主に備える。【００２３】
フィルタ部３３ａは、ろ過部と該ろ過部を収容するフィルタケースからなり、パネル２３ｄの外方に配設される。ろ過部の材料は、洗浄液３２ｅに対して長時間使用可能なポリプロピレン、ポリエチレン、ポリエステル、ＰＴＦＥ等が使用され、該繊維を中空糸フィルタ、メンブレンフィルタ、プリーツフィルタとし構成される。なお、目詰まりしたろ過部は、新しいろ過部と交換しても良いし、逆洗してろ過部の目詰まりを解消するものであってもよい。【００２４】
また、ろ過部を収容するフィルタケースは、透明なケースからなり、ろ過部の汚れ具合をフィルタ部３３ａを分解せずにろ過部の汚れ具合を目視で確認できる。【００２５】
このような構成を有する浄化部３３によって、洗浄装置下部３４ｄに貯えられた洗浄液３２ｅは、水中ポンプ３３ｃによって洗浄ケーシング部３４の外部に配設されたフィルタ部３３ａに圧送され、該フィルタ部３３ａによって洗浄液３２ｅ内の異物が除去され、異物が除去された洗浄液３２ｅは再度洗浄ケーシング部３４内に戻される。これにより、空気清浄器１０は、長時間に亘り、清浄度の高い洗浄液３２ｅにより非処理空気Ａ１を洗浄できる。【００２６】
ここで、水中ポンプ３３ｃを洗浄ケーシング部３４内に配設しているのは、異物によるスプレー部３１ｄの目詰まりを防止するためである。すなわち、空気清浄器１０を長時間運転すると、洗浄ケーシング部３４の底部に異物が滞留してしまい、洗浄液循環部３１の循環ポンプ３１ｂが異物を吸込むと、該異物によりスプレー部３１ｄの目詰まりが発生してしまう。そこで、洗浄ケーシング部３４内に配設した水中ポンプ３３ｃによって、滞留した異物を強力に吸込み、フィルタ部３３ａで異物を除去することで、循環ポンプ３１ｂが吸込む異物の量を低減できるので、スプレー部３１ｄの目詰まりを防止することができる。また、水中ポンプ３３ｃは、軸封部を有しないため、洗浄液３２ｅに含まれる異物によって軸封部の劣化による水漏れも防止することができる。【００２７】
なお、水中ポンプ３３ｃとフィルタ部３３ａとを接続する浄化系パイプ３３ｄ、３３ｇの途中には、浄化系パイプ３３ｄ、３３ｇを開閉可能なバルブ３３ｅが配設され、該バルブ３３ｅを開閉操作して、洗浄ケーシング部３４内、浄化部３３内の洗浄液３２ｅを排出口３３ｆから排出できるようになっている。バルブの種類として、モータバルブ、ゲートバルブ、ボールバルブ等を使用することができる。【００２８】
洗浄液３２ｅ中の薬剤を補給する補給部３２について説明する。空気清浄器１０を運転すると、洗浄液３２ｅ中の薬剤は、その一部が洗浄済空気Ａ２とともに排出されたり、薬剤自身が蒸発したりして失われ、洗浄液３２ｅ中の薬剤の濃度が低下してしまう。【００２９】
そこで、洗浄液３２ｅ中の薬剤の濃度を適切に保つために補給部３２が設けられている。補給部３２は、薬剤を貯蔵する薬剤貯蔵部３２ａ、ポンプ３２ｃ、薬剤貯蔵部３２ａとポンプ３２ｃとの間を接続するパイプ３２ｂ、ポンプ３２ｃと洗浄ケーシング部３４との間にパイプ３２ｄを主に備える。【００３０】
補給部３２はこのような構成を備えることで、空気清浄器１０の運転時間に応じて洗浄液３２ｅ中の薬剤を補給することによって、洗浄液３２ｅ中の薬剤の濃度を適切に保つことができる。【００３１】
つぎに、気液分離装置４０について説明する。図４及び図５に示されるように、気液分離装置４０は、入口流路４０ａを構成する入口部４１、導入流路４０ｂを構成する外方壁４２ａ、外方壁４２ａの上部及び下部を囲む天井壁４２ｂ及び底部壁４２ｃ、排出流路４０ｅを構成する排出部４４、及び出口流路４０ｆを構成する出口部４３からなるケーシング４２から構成される。なお、ケーシング４２は、鉄板を溶接して構成される。【００３２】
ここで、入口部４１の高さ位置において、下流側の外方壁４２ａの内面の曲率半径は、上流側の外方壁４２ａの内面の曲率半径より小さく形成されている。具体的には、ケーシング４２の外方壁は、右水平方向を０°として、略０°〜略１８０°の範囲に形成された第１半径Ｒ１を有する第１外方壁と、略１８０°〜略３６０°の範囲に形成された第１半径Ｒ１より小さい第２半径Ｒ２を有する第２外方壁からなり、第１半径Ｒ１の第１中心軸Ｃ１と第２半径Ｒ２の第２中心軸Ｃ２とが、後述する出口部４３、排出部４４の中心軸であるＣ３を通る水平軸上で所定に距離隔てて配置されている。なお、入口部４１の高さ位置とは、中心軸Ｃ１、Ｃ２、Ｃ３に直交する平面を意味する。【００３３】
一方、気液分離装置４０内を流れる空気は、一般に流線の曲率半径が小さいほど旋回速度が速くなる自由渦運動となっている。したがって、入口部４１の高さ位置において、上流側より下流側の曲率半径が小さくなる導入流路４０ｂに導かれる洗浄後空気Ａ２は、その流線の曲率半径も上流側より下流側の曲率半径が小さくなるため、洗浄後空気Ａ２の旋回速度は、自由渦運動より下流に行くほど速くなる。このように、導入流路４０ｂ内を略半周するのみで、洗浄後空気Ａ２旋回方向の加速を完了することができる。【００３４】
図５（ａ）、（ｂ）に示されるように、排出部４４は、外方壁４２ａの内方に配設される筒状体からなる。該筒状体は、天井壁４２ｂと底部壁４２ｃとの間に配設され、略１８０°から略３６０°の範囲が切欠かれた半円筒状体４４ａ（本発明の内方壁）、底部壁４２ｃの下方外部へ延設される円筒状体４４ｂ、及び円筒状体４４ｂの下端部から下方に延設され、漸次縮径する縮径部４４ｃを有し、縮径部４４ｃの下端部は開口部４４ｄを有する。また、底部壁４２ｃには排出部４４の円筒状体４４ｂと略同一径の開口部４２ｄが形成されており、該開口部４２ｄによって、導入流路４０ｂは、排出部４４を構成する円筒状体４４ｂの内部の排出流路４０ｅ及び開口部４４ｄに連通する。【００３５】
図５（ａ）、（ｂ）に示されるように、出口部４３は筒状体４３ａからなり、その下端部に下部開口部４３ｂ及びその上端部に上部開口部４３ｃを有す、筒状体４３ａの内部は出口流路４０ｆとなっており、下部開口部４３ｂ及びその上端部に上部開口部４３ｃは、出口流路４０ｆによって連通されている。そして出口部４３を構成する筒状体４３ａは、排出部４４を構成する円筒状体４４ｂの内部の排出流路４０ｅの内部に配設され、導入流路４０ｂは、底部壁４２ｃの開口部４２ｄを介して排出部４４の排出流路４０ｅに連通し、該排出流路４０ｅは、出口部４３の下部開口部４３ｂから出口流路４０ｆを介し上部開口部４３ｃによってのケーシング４２の外部に連通、開放される。なお、排出部４４と出口部４３は、同じ第３中心軸Ｃ３に対し同心円状に配設されている。【００３６】
以上説明したように、気液分離装置４０は、その内部に管路ダクト４１ａ及び管路部４１ｂからなる入口流路４０ａ、外方壁４２ａの内面と排出部４４の半円筒状体４４ａ（本発明の内方壁）の外面との間に形成される導入流路４０ｂ、ケーシング４２の外方壁４２ａの内面と出口部４３の筒状体４３ａの外面との間に形成される第１旋回流路４０ｃ、排出部４４の半円筒状体４４ａの内面と出口部４３の外面との間に形成された第２旋回流路４０ｄ、排出部４４の円筒状体４４ｂの内部の排出流路４０ｅ、出口部４３の筒状体４３ａの内部の出口流路４０ｆを有する。【００３７】
気液分離装置４０はこのような構成を有するので、ケーシング４２の外方壁４２ａと排出部４４の半円筒状体４４ａとの間に形成される導入流路４０ｂは、入口部４１の高さ位置において、径方向の流路幅が徐々に狭まる渦巻形状となっているので、入口部４１から導入された洗浄液３２ｅを含む洗浄済空気Ａ２は、略０°〜略１８０°の短い導入流路４０ｂを流れる間に、旋回と加速が同時に行われる。そして、旋回、加速した洗浄液３２ｅを含む洗浄済空気Ａ２は、ケーシング４２の外方壁４２ａと出口部４３の筒状体４３ａとの間に形成される第１旋回流路４０ｃ、及び排出部４４の半円筒状体４４ａと出口部４３との間に形成された第２旋回流路４０ｄを旋回しながら流れる間に主に洗浄液３２ｅと処理済空気Ａ３に分離され、比重の重たい洗浄液３２ｅは円筒状体４４ｂの排出流路４０ｅを介して開口部４４ｄへ下方に排出され、比重の軽い処理済空気Ａ３は、円筒状体４４ｂの排出流路４０ｅを介して、出口部４３の下部開口部４３ｂから出口流路４０ｆを上方に流れ、上部開口部４３ｃから排出される。【００３８】
この際、旋回しながら下降する流れが生じる第１旋回流路４０ｃ及び第２旋回流路４０ｄと、旋回しながら上昇する流れが生じる出口流路４０ｆとは、筒状体４３ａによって分離されているので、逆向きの流れが衝突することがない。したがって、第１旋回流路４０ｃ及び第２旋回流路４０ｄにおいて、効率よく洗浄液と処理済空気Ａ３に分離でき、出口流路４０ｆにおいて損失を低減した状態で排気できる。【００３９】
以上説明したケース２０、洗浄装置３０、気液分離装置４０を有する空気清浄器１０の動作について説明する。図３に示されるように、取込口２１ａ、２１ｂから吸込まれた室内５０の汚れた非処理空気Ａ１は、それぞれダクト２１ｃ、２１ｄを通り、合流部２１ｅにて合流後、ダクト２１ｇを通って洗浄装置３０へ導かれる。洗浄装置３０の洗浄ケーシング部３４内には、薬剤を含む洗浄液３２ｅが微細な霧状に噴霧され、非処理空気Ａ１の中に含まれる微細なダストやタバコのヤニ等の異物、ウィルス等は、洗浄液３２ｅの微粒子によって容易に捕捉され、洗浄装置下部３４ｄに流れ落ち、ウィルス等は殺菌される。洗浄済空気Ａ２は、ダクト２１ｈを通り、ファン２１ｆに吸込まれ、ファン２１ｆからダクト２１ｊを通り気液分離装置４０へ圧送される。洗浄後の洗浄液を多量に含む空気は、気液分離装置４０内で、加速、旋回されて、遠心力を利用して洗浄液と空気とが分離し、処理済空気Ａ３はダクト２１ｋを通り、排気口２２から室内に排気される。また、分離された洗浄液は、ドレン管２１ｎを通り洗浄装置３０内に戻される。このように空気清浄器１０は、連続して室内の空気を取り込んで、浄化した空気を供給することができる。【００４０】
以上、本発明の実施例を図面により説明してきたが、具体的な構成はこれら実施例に限られるものではなく、本発明の要旨を逸脱しない範囲における変更や追加があっても本発明に含まれる。【００４１】
例えば、前記実施例では、空気清浄器１０の気液分離装置４０のケーシング４２の流路の断面形状は矩形であったが、矩形に限らず、管路ダクト４１ａと同じく、円管としてもよい。ケーシング４２の流路を円管とすることにより、前記実施例のケーシング４２の天井壁４２ｂ及び底部壁４２ｃを省略することができる。また、気液分離装置４０のケーシング４２の導入流路４０ｂ、矩形、円形に限らず台形、５角形以上の多角形としてもよい。さらに、気液分離装置４０の排出部４４、出口部４３の流路の断面形状についても、円形に限らず台形、矩形、５角形以上の多角形としてもよい。【００４２】
また、気液分離装置４０の０°〜１８０°の範囲に半円筒状体４４ａを設けたり、底部壁４２ｃの１８０°〜略３６０°の範囲に開口部４２ｄを設けたりしたが、これに限らず、たとえば０°〜１２０°の範囲に半円筒状体４４ａを設けたり、底部壁４２ｃの１２０°〜略３６０°の範囲に開口部４２ｄを設けてもよい。すなわち、開口部４２ｄを設ける角度範囲、また半円筒状体４４ａの弧長の角度範囲は、空気の湿り程度、空気の流量等に応じて適宜設定することができる。【００４３】
また、前記実施例では、気液分離装置４０が空気清浄器１０に用いられる態様について説明したが、これに限らず、気液分離装置は、例えば、室内の空気を気液分離するために単体で使用してもよいし、液体を使用する工作機械などの一部に組み込まれてもよい。また、例えば、気液分離装置で気液分離した処理済空気を空調装置等に取込んで処理済空気の温度を適宜調整してもよい。【００４４】
また、上記実施例において、ケーシング４２の外方壁４２ａは、２つの偏心円弧により構成したが、これに限らず、３個の偏心円弧、それ以上の個数の偏心円弧から構成してもよい。【００４５】
上記実施例において、ケーシング４２は、鉄板を溶接して構成されているが、鉄以外の金属、木材、プラスチック、または金属、木材及びプラスチックの混合材から構成してもよい。また、ケーシング４２によって構成される入口流路４０ａ、導入流路４０ｂ、排出流路４０ｅ、及び出口流路４０ｆは、鉄等の金属、木材、プラスチック等からなる壁面に騒音を低減するための消音材、吸音材を取付けた壁面として構成してもよい。【００４６】
さらに上記実施例において、洗浄液３２ｅは、薬剤を含む水であったが、薬剤を含まない水であってもよい。また、水道水に限らず、水素水を使用してもよい。
【符号の説明】
【００４７】
１０              空気清浄器
２０              ケース
２１ａ            取込口
２１ｂ            取込口
２１ｆ            ファン
３０              洗浄装置
３２ｅ            洗浄液（液体）
４０              気液分離装置
４０ａ            入口流路
４０ｂ            導入流路
４０ｃ            第１旋回領域
４０ｄ            第２旋回領域
４０ｅ            排出流路
４０ｆ            出口流路
４１              入口部
４２              ケーシング
４２ａ            外方壁
４３              出口部
４４              排出部
４４ａ            半円筒状体（内方壁）
４４ｃ            縮径部
５０              室内
Ａ１              非処理済空気
Ａ２              洗浄後空気
Ａ３              処理済空気
【図１】
2017179159.tif 000003
【図２】
2017179159.tif 000004
【図３】
2017179159.tif 000005
【図４】
2017179159.tif 000006
【図５】
2017179159.tif 000007
【国際調査報告】
2017179159.tif 000008
2017179159.tif 000009
2017179159.tif 000010
2017179159.tif 000011